(57)【要約】【課題】改良された多極モータ、特に、偶数のセグメントを有するモータを提供する。【解決手段】モータは、固定子及び回転子を備える。固定子は、１より大きな整数をＰとすれば、２Ｐ個の極を含む。回転子は、シャフト、該シャフトに固定された回転子コア及び整流子を含む。整流子は、Ｐより大きな偶数の整数をｍとすれば、ｍ個のセグメントを含む。各２つの隣接セグメントが巻線ユニットにより一緒に電気的に接続されて、回転子巻線がｍ個の巻線ユニットを含むようにし、それら巻線ユニットの少なくとも１つは、直列に接続されたＰ個のコイルを含み、そして各巻線ユニットの各コイルは、それに対応する２つのセグメントに直接接続される。【選択図】図３
2011024417.tif 000002
【特許請求の範囲】
【請求項１】
固定子及び回転子を備え、固定子は、１より大きな整数をＰとすれば、２Ｐ個の極を含み、回転子は、シャフト、シャフトに固定された回転子コア及び整流子を含み、
整流子は、Ｐより大きな偶数の整数をｍとすれば、ｍ個のセグメントを含み、各２つの隣接セグメントが巻線ユニットによって一緒に電気的に接続されて、回転子巻線がｍ個の巻線ユニットを含むようにし、それら巻線ユニットの少なくとも１つは、直列に接続されたＰ個のコイルを含み、そして
各巻線ユニットの各コイルがそれに対応する２つのセグメントに直接接続されるようにしたモータ。
【請求項２】
ｍは、Ｐの倍数であり、そしてｎがＰの倍数でＰより大きいとすれば、回転子コアは、ｎ個の歯を含む、請求項１に記載のモータ。
【請求項３】
ｍ個の巻線ユニットは、
１つのコイルしか含まない１つの巻線ユニットと、
直列に接続されたＰ＋１個のコイルを各々含むＰ−１個の巻線ユニットと、
直列に接続されたＰ個のコイルを各々含むｍ−Ｐ個の巻線ユニットと、
で構成される請求項１又は２に記載のモータ。
【請求項４】
第１セグメントＺX及びそれに隣接する第２セグメントＺX+1に接続され且つ２つ以上のコイルを含む巻線ユニットの場合、巻線ユニットの各２つの隣接コイルは、第１セグメントＺX又は第２セグメントＺX+1と同じ極性のもとにある共有セグメントＺYに直接接続される、請求項１、２又は３に記載のモータ。
【請求項５】
整流子の１つの周囲方向に沿って、セグメントの数で測定された第１セグメントＺXから共有セグメントＺYまでの距離は、セグメントの数で測定された共有セグメントＺYから第２セグメントＺX+1までの距離より大きいか又は小さい、請求項４に記載のモータ。
【請求項６】
ｍ個の巻線ユニットの各コイルは、そのコイルピッチが極ピッチに実質的に等しい、請求項１から５のいずれかに記載のモータ。
【請求項７】
同じ巻線ユニットの全てのコイルは、同じ巻線方向を有する、請求項１から６のいずれかに記載のモータ。
【請求項８】
第１セグメントＺX及びそれに隣接する第２セグメントＺX+1に接続された第１の巻線ユニット、並びにその第２セグメントＺX+1及びそれに隣接する第３セグメントＺX+2に接続された第２の巻線ユニットの場合に、前記第１の巻線ユニットの各コイルの巻き付け方向は、前記第２の巻線ユニットの各コイルの巻き付け方向と逆である、請求項７に記載のモータ。
【請求項９】
ｍは、ｎの倍数である、請求項２に記載のモータ。
【請求項１０】
Ｐ、ｍ及びｎは、次の条件、即ち
Ｐ＝２、ｍ＝３６、ｎ＝１８；
Ｐ＝２、ｍ＝５２、ｎ＝２６；及び
Ｐ＝３、ｍ＝５４、ｎ＝２７、
の１つを満足する、請求項９に記載のモータ。
【請求項１１】
固定子は、固定子コアを備え、この固定子コアは、ヨーク部分と、ヨーク部分から内方に延びる２Ｐ個の歯とを備え、Ｐ個の歯は、一次突極として働き、残りのＰ個の歯は、補助突極として働き、一次突極及び補助突極は、ヨークの周囲方向に沿って交互に配列される、請求項１から１０のいずれかに記載のモータ。
【請求項１２】
前記一次突極の各々には、集中界磁コイルが巻かれ、そして前記補助突極の各々には、界磁コイルが巻かれないか、又は前記一次突極の界磁コイルより巻回数の少ない集中界磁コイルが巻かれる、請求項１１に記載のモータ。
【請求項１３】
前記モータは、整流子のセグメントにスライド接触する２つのブラシを備えた、請求項１から１２のいずれかに記載のモータ。
【発明の詳細な説明】
【技術分野】
【０００１】
本発明は、電気モータに係り、より詳細には、固定子と、ブラシと、整流子を伴う回転子とを備えた多極モータに係る。ここで使用する「多極モータ」という語は、４つ以上の固定子極を有するモータを意味する。
【背景技術】
【０００２】
整流子モータは、一般的に、複数の固定子極を有する固定子と、回転子シャフト、シャフトに固定された回転子コア、シャフトに固定された整流子、及び回転子コアの極の周りに巻かれて整流子のセグメントに電気的に接続された回転子巻線を有する回転子とを備えている。ブラシは、整流子を経て巻線へ電力を伝達する。ブラシの数は、一般に、固定子極の数の増加と共に増加する。例えば、２極モータは、通常、２つのブラシを有し、又、４極モータは、通常、４つのブラシを有する。ブラシの数の増加は、モータのコスト及びサイズを増加させる。
【０００３】
良く知られたように、ウェーブ巻線は、ブラシの数を減少する１つの方法である。しかしながら、慣習的なウェーブ巻線は、奇数の巻線スロットをもつ回転子及び奇数のセグメントをもつ整流子をモータに設ける必要がある上に、巻線スロット（回転子極）の数及びセグメントの数を固定子極の数の倍数でないようにする必要もある。それ故、ウェーブ巻線は、ある特定のモータに限定される。更に、慣習的なウェーブ巻線は、奇数のコイルであるために単一のフライヤーを使用する巻き付け機によって巻かれ、これは、二重フライヤー巻き付け機を使用する場合より長い時間を要する。
【発明の概要】
【発明が解決しようとする課題】
【０００４】
そこで、改良された多極モータ、特に、偶数のセグメントを有するモータを開発することが望まれる。
【課題を解決するための手段】
【０００５】
従って、本発明は、その１つの態様において、固定子及び回転子を備え、固定子は、１より大きな整数をＰとすれば、２Ｐ個の極を含み、回転子は、シャフト、シャフトに固定された回転子コア及び整流子を含み、整流子は、Ｐより大きな偶数の整数をｍとすれば、ｍ個のセグメントを含み、各２つの隣接セグメントが巻線ユニットによって一緒に電気的に接続されて、回転子巻線がｍ個の巻線ユニットを含むようにし、それら巻線ユニットの少なくとも１つは、直列に接続されたＰ個のコイルを含み、そして各巻線ユニットの各コイルがそれに対応する２つのセグメントに直接接続されるようにしたモータを提供する。
【０００６】
好ましくは、ｍは、Ｐの倍数であり、そしてｎがＰの倍数でＰより大きいとすれば、回転子コアは、ｎ個の歯を含む。
【０００７】
好ましくは、ｍ個の巻線ユニットは、１つのコイルしか含まない１つの巻線ユニットと、直列に接続されたＰ＋１個のコイルを各々含むＰ−１個の巻線ユニットと、直列に接続されたＰ個のコイルを各々含むｍ−Ｐ個の巻線ユニットとで構成される。
【０００８】
好ましくは、第１セグメントＺＸ及びそれに隣接する第２セグメントＺＸ＋１に接続され、２つ以上のコイルを含む巻線ユニットの場合に、巻線ユニットの各２つの隣接コイルは、第１セグメントＺＸ又は第２セグメントＺＸ＋１と同じ極性のもとにある共有セグメントＺＹに直接接続される。
【０００９】
好ましくは、整流子の１つの周囲方向に沿って、セグメントの数で測定された第１セグメントＺＸから共有セグメントＺＹまでの距離は、セグメントの数で測定された共有セグメントＺＹから第２セグメントＺＸ＋１までの距離より大きいか又は小さい。
【００１０】
好ましくは、ｍ個の巻線ユニットの各コイルは、そのコイルピッチが極ピッチに実質的に等しい。
【００１１】
好ましくは、同じ巻線ユニットの全てのコイルは、同じ巻線方向を有する。
【００１２】
好ましくは、第１セグメントＺＸ及びそれに隣接する第２セグメントＺＸ＋１に接続された第１の巻線ユニット、並びにその第２セグメントＺＸ＋１及びそれに隣接する第３セグメントＺＸ＋２に接続された第２の巻線ユニットの場合に、第１の巻線ユニットの各コイルの巻き付け方向は、第２の巻線ユニットの各コイルの巻き付け方向と逆である。
【００１３】
好ましくは、ｍは、ｎの倍数である。
【００１４】
好ましくは、Ｐ、ｍ及びｎは、次の条件、即ちＰ＝２、ｍ＝３６、ｎ＝１８；Ｐ＝２、ｍ＝５２、ｎ＝２６；及びＰ＝３、ｍ＝５４、ｎ＝２７、の１つを満足する。
【００１５】
好ましくは、モータは、整流子のセグメントにスライド接触する２つのブラシを備えている。
【００１６】
好ましくは、固定子は、固定子コアを備え、この固定子コアは、ヨーク部分と、ヨーク部分から内方に延びる２Ｐ個の歯とを備え、Ｐ個の歯は、一次突極として働き、残りのＰ個の歯は、補助突極として働き、一次突極及び補助突極は、ヨークの周囲方向に沿って交互に配列される。
【００１７】
好ましくは、一次突極の各々には、集中界磁コイルが巻かれ、そして補助突極の各々には、界磁コイルが巻かれないか、又は一次突極の界磁コイルより巻回数の少ない集中界磁コイルが巻かれる。
【発明の効果】
【００１８】
本発明の好ましい実施形態によるモータは、偶数のセグメントを有し、それ故、回転子巻線は、二重フライヤー巻き付け機を使用して迅速に巻かれる。本発明による巻線スキームを実施することによりブラシの数を減少することができる。
【００１９】
以下、添付図面を参照し、本発明の好ましい実施形態を一例として説明する。２つ以上の図に現れる同じ構造物、要素又は部品は、一般的に、それらが現れる全ての図において同じ参照番号で示す。図示されたコンポーネント及び特徴部の寸法は、一般的に、表現の便宜上及び明瞭化のために選択されたものであって、必ずしも正しいスケールで示されていない。
【図面の簡単な説明】
【００２０】
【図１】本発明の一実施形態によるユニバーサルモータを示す。
【図２】ベアリングブラケットを除去した図１のユニバーサルモータの平面図である。
【図３】図１のユニバーサルモータの回転子の巻線を示す。
【図４】図１のモータの巻線スロット、回転子巻線及びセグメントの間の接続関係を示す巻線テーブルである。
【図５】図１のモータの回転子巻線、セグメント及びブラシの電気的接続関係を示す。
【図６】本発明の別の実施形態による多極モータの巻線スロット、回転子巻線及びセグメントの接続関係を示す巻線テーブルである。
【図７】本発明の更に別の実施形態による別の多極モータの回転子巻線及びセグメントの接続関係を示す巻線テーブルである。
【発明を実施するための形態】
【００２１】
本発明は、４つ以上の極を有する固定子と、偶数の歯（スロット）を有する回転子と、偶数のセグメントをもつ整流子とを備えたモータを提供する。本発明の実施によりブラシの数が減少される。
【００２２】
図１は、本発明の１つの好ましい実施形態によるユニバーサルモータを示し、そして図２は、整流子１２２を露呈させるためにベアリングブラケットが除去されたユニバーサルモータの平面図である。この実施形態によるユニバーサルモータは、固定子と、固定子に直面して回転可能に取り付けられた回転子とを備えた単相直列モータである。固定子は、固定子コア１０１と、固定子の軸方向一端に配置された２つのブラシ１０８、１０９とを備えている。固定子コア１０１は、モータの軸方向にラミネーションを積み重ねることにより形成され、そしてヨーク部分と、ヨーク部分から内方に延びる突極１０２〜１０５とを備え、突極１０２及び１０４は、界磁コイルが巻かれて、一次極として機能し、一方、突極１０３及び１０５は、界磁コイルが巻かれず、補助極として機能する。或いは又、補助極は、一次極より巻回数が各々少ない界磁コイルを有してもよい。一次極１０２、１０４、及び補助極１０３、１０５は、固定子コア１０１の周囲方向に交互に配列される。界磁コイルの電気的接続は、固定子により４つの極が形成されるように制御ユニット（図示せず）により制御される。換言すれば、以下、Ｐと称される、モータの極対の数は、２である。界磁コイルにより極を形成する方法は、良く知られている。
【００２３】
回転子は、回転子シャフト１２１と、シャフト１２１に固定された回転子コアと、回転子コアに隣接してシャフト１２１に固定された整流子１２２と、回転子コアの歯の周りに巻かれて整流子１２２のセグメントに電気的に接続された回転子巻線とを備えている。この実施形態では、回転子コアは、１８個の歯を含み、そして整流子１２２は、３６個のセグメントを含む。セグメントの数は、極対の数の倍数である歯の数の倍数である。
【００２４】
図３及び４は、回転子巻線の接続関係を示す。図３を参照すれば、最も上の行は、２つのブラシ１０８及び１０９を表し、第２の行は、整流子の３６個のセグメントＺ1〜Ｚ36を表し、第３の行は、回転子コアの１８個の歯及びこれらの歯によって形成された１８個の巻線スロットＳ1〜Ｓ18を表し、そして第４の行は、固定子の４個の極１０２〜１０５を表している。巻き付け手順において、ワイヤは、セグメントＺ1からスタートし、次いで、巻線スロットＳ5及びＳ1を繰り返し通って、それら巻線スロットＳ5とＳ1との間の４つの歯の周りに巻かれたコイルを形成し、次いで、ワイヤは、セグメントＺ19に接続される。次いで、ワイヤは、セグメントＺ19からスタートし、巻線スロットＳ14及びＳ15を通過して、それら巻線スロットＳ14とＳ10との間の歯の周りに巻かれたコイルを形成し、次いで、ワイヤは、セグメントＺ1に隣接するセグメントＺ2に接続される。換言すれば、セグメントＺ1は、実質的にセグメントＺ1と同じ極性のもとにある共有セグメントＺ19に接続された直列接続の２つのコイルにより、セグメントＺ2に電気的に接続される。ここで使用する「同じ極性のもとにある２つ以上のセグメント」とは、同じ極性の極間の距離により２つ以上のセグメントが互いに分離されていることを意味する。良く知られたように、２Ｐ個の交互の極と、ｍ個のセグメントの整流子とを有するモータの場合、セグメントの数で測定された同じ極性の極間の距離は、ｍ／Ｐに等しい。簡単化のため、ｍ個のセグメントは、セグメントＺ1、Ｚ2、・・・Ｚx、Ｚy、・・・Ｚmと称され、ここで、１≦ｘ≦ｍ及び１≦ｙ≦ｍである。｜ｙ−ｘ｜がｍ／Ｐ又はｍ／Ｐの倍数に等しい場合には、セグメントＺx及びＺyが同じ極性のもとになければならない。図３及び４を更に参照すれば、好ましい実施形態によるモータは、４即ち２ｘ２の交互の極と、３６個のセグメントとを有し、そして｜ｙ−ｘ｜が１８即ち３６／２に等しい場合には、セグメントＺx及びＺyが同じ極性のもとになければならない。
【００２５】
セグメントＺ2は、直列接続された２つのコイルより成る巻線ユニットによりセグメントＺ3に電気的に接続される。２つのコイルの一方は、巻線スロットＳ6とＳ10との間で歯の周りに巻かれ、そして他方のコイルは、巻線スロットＳ15とＳ1との間で歯の周りに巻かれる。又、２つのコイルは、セグメントＺ2と同じ極性のもとにある共有セグメントＺ20にも接続される。
【００２６】
セグメントＺ1及びＺ2の電気的接続と同様に、セグメントＺ3は、直列接続された２つのコイルより成る巻線ユニットによりセグメントＺ4に電気的に接続される。２つのコイルの一方は、巻線スロットＳ6とＳ2との間で歯の周りに巻かれ、そして他方のコイルは、巻線スロットＳ15とＳ11との間で歯の周りに巻かれる。又、２つのコイルは、セグメントＺ3と同じ極性のもとにある共有セグメントＺ21にも接続される。
【００２７】
セグメントＺ2及びＺ3の電気的接続と同様に、セグメントＺ4は、直列接続された２つのコイルより成る巻線ユニットによりセグメントＺ5に電気的に接続される。２つのコイルの一方は、巻線スロットＳ7とＳ11との間で歯の周りに巻かれ、そして他方のコイルは、巻線スロットＳ16とＳ2との間で歯の周りに巻かれる。又、２つのコイルは、セグメントＺ4と同じ極性のもとにある共有セグメントＺ22にも接続される。
【００２８】
換言すれば、各２つの隣接セグメントが巻線ユニットにより電気的に接続される。ほとんどのケースでは、巻線ユニットは、直列に接続された２つのコイルを含む。しかしながら、セグメントＺ18及びＺ19は、直列に接続された３つのコイルを含む巻線ユニットにより電気的に接続され、そしてセグメントＺ36及びＺ1は、１つのコイルしか含まない巻線ユニットにより電気的に接続される。
【００２９】
換言すれば、２Ｐ個の交互の極と、ｍ個のセグメントＺ1〜Ｚmの整流子とを含み、Ｐが１より大きな偶数の整数で、ｍがＰの倍数であるモータの場合、各２つの隣接セグメントが巻線ユニットにより接続されて、回転子巻線がｍ個の巻線ユニットをもつようにされ、ここで、
（１）セグメントＺm及びＺ1に接続された巻線ユニットは、１つのコイルしか含まず、
（２）１≦ｘ、ｘ＋１≦ｍ、及びｘがｍ／Ｐの倍数である場合に、セグメントＺx及びＺx+1に接続される巻線ユニットは、直列接続されたＰ＋１個のコイルを含む。巻線ユニットの各２つの隣接コイルは、セグメントＺx又はＺx+1と同じ極性のもとにある共有セグメントに接続され、Ｐ−１個のこのような巻線ユニットがあることを理解すべきであり、そして
（３）１≦ｘ、ｘ＋１≦ｍ、及びｘがｍ／Ｐの倍数でない場合に、セグメントＺx及びＺx+1に接続される巻線ユニットは、直列接続されたＰ個のコイルを含み、巻線ユニットのＰ個のコイルの各２つの隣接セグメントは、セグメントＺx又はＺx+1と同じ極性のもとにある共有セグメントに接続される。ｍ−Ｐ個のこのような巻線ユニットがあることを理解すべきである。
【００３０】
更に、コイルピッチ（以下、ｑと称する）は、モータの性能を改善すると共に、コイルのリード線を短縮するために、できるだけ極ピッチに等しくするのが好ましい。２Ｐ個の固定子極の固定子及びｎ個の歯の回転子を有するモータの場合に、極ピッチは、ｎ／２Ｐとして表現される。コイルピッチｑは、式｜ｑ−ｎ／２Ｐ｜＜１を満足するのが好ましい。図３及び図４に示す規範的なモータの場合、極ピッチは、４．５即ち１８／４に等しく、そしてコイルピッチは４である。
【００３１】
更に、上述したように、セグメントＺx及びＺx+1に接続され且つ２つ以上のコイルを含む巻線ユニットの場合、各２つの隣接コイルは、セグメントＺx又はＺx+1と同じ極性のもとにある共有セグメントＺyに接続される。即ち、｜ｙ−ｘ｜がｍ／Ｐの倍数に等しいか、又は｜(ｘ＋１)−ｙ｜がｍ／Ｐの倍数に等しい。整流子の１つの周囲方向に沿って、セグメントＺxからセグメントＺyまでの距離は、セグメントＺyからセグメントＺX+1までの距離に等しくない。例えば、セグメントＺ1及びＺ2に接続された巻線ユニットは、２つのコイルを含み、そして２つのコイルは、共有セグメントＺ19に接続される。セグメントＺ1−セグメントＺ19−セグメントＺ2の周囲方向から、セグメントＺ1とセグメントＺ19との間に１７個のセグメントＺ2〜Ｚ18があり、そしてセグメントＺ19とセグメントＺ2との間に１８個のセグメントＺ20〜Ｚ36〜Ｚ1がある。
【００３２】
更に、同じ巻線ユニットのコイルの巻き付け方向は、同じであり、例えば、時計方向又は反時計方向に巻かれる。しかしながら、隣接する３つのセグメントに各々接続される２つの巻線ユニットの場合、第１の巻線ユニットのコイルの巻き付け方向は、第２の巻線ユニットのコイルの巻き付け方向と異なる。これは、２つの巻線ユニットが異なる極性のもとにあるからである。例えば、セグメントＺ1及びＺ2に接続される巻線ユニットのコイルは、時計方向に巻かれ、一方、セグメントＺ2及びＺ3に接続される巻線ユニットのコイルは、反時計方向に巻かれる。
【００３３】
図５は、モータの回転子巻線、セグメント及びブラシの電気的接続関係を示す。図５において、小さな長方形ボックスは、整流子のセグメントを表し、例えば、数字ラベル１をもつ小さな長方形ボックスは、セグメントＺ1を表す。波状の線は、セグメントに接続されたコイルを表し、Ｃ-1のような負のラベルをもつコイルは、コイルが反時計方向に巻かれることを意味し、そしてＣ1のような正のラベルをもつコイルは、コイルが時計方向に巻かれることを意味する。
【００３４】
図５のモータは、ｍ個の巻線ユニットを備えている。上述したように、各巻線ユニットは、１個、Ｐ個、又はＰ＋１個のコイルを備え、そしてｍ個の巻線ユニットは全体でｍ・Ｐ個のコイルを備えている。ｍ・Ｐ個のコイルは、２つの並列の岐路を形成し、これは、両方とも、ブラシ１０８及び１０９に接続される。ブラシ１０８及び１０９は、機械的に約９０°離間される。図５に示すように、各ブラシは、整流中に３つのセグメントを短絡する。例えば、セグメントＺ1、Ｚ2及びＺ3は、ブラシ１０８により短絡され、従って、コイルＣ2、Ｃ11、Ｃ-7及びＣ-16がブラシ１０８により短絡される。セグメントＺ10、Ｚ11及びＺ12は、ブラシ１０９により短絡され、従って、コイルＣ-11、Ｃ-2、Ｃ7及びＣ16がブラシ１０９により短絡される。より多くのブラシが使用される場合には、より多くのコイルが短絡されることが明らかである。換言すれば、好ましい実施形態によるモータは、少ない数のブラシを使用し、従って、少ない数のコイルが短絡され、モータの性能が改善される。更に、ｍ・Ｐ個のコイルは、２つの平行な岐路しか形成せず、モータは、高い電圧に生き残ることができる。
【００３５】
図６は、本発明の別の実施形態による回転子巻線、巻線スロット、及びセグメントの接続関係を示す巻線テーブルである。このモータは、２つのブラシ、４つの極（２Ｐ＝４）をもつ固定子、２６個の歯（ｎ＝２６）をもつ回転子、５２個のセグメント（ｍ＝５２）をもつ整流子を備えている。簡単化のために、５２個のセグメントは、各々、セグメントＺ1からＺ52と命名される。巻線構成は、次の特徴を有する。
（１）各２つの隣接セグメントが、直列接続された１つのコイル又は２つ以上のコイルを含む巻線ユニットにより電気的に接続され、そして各コイルの両端がそれに対応するセグメントに直接接続される。
（２）１≦ｘ、ｘ＋１≦ｍ、及びｘがｍ／Ｐの倍数でない場合に、セグメントＺx及びＺx+1に接続される巻線ユニットは、直列接続されたＰ個のコイルを含み、巻線ユニットの各２つの隣接コイルは、セグメントＺx又はＺx+1と同じ極性のもとにある共有セグメントに接続され、このような巻線ユニットの数は、ｍ−Ｐである。
（３）セグメントＺm及びセグメントＺ1に接続される巻線ユニットは、１つのコイルしか含まない。
（４）１≦ｘ、ｘ＋１≦ｍ、及びｘがｍ／Ｐの倍数である場合に、セグメントＺx及びＺx+1に接続される巻線ユニットは、直列接続されたＰ＋１個のコイルを含み、巻線ユニットの各２つの隣接コイルは、セグメントＺx又はＺx+1と同じ極性のもとにある共有セグメントに接続され、このような巻線ユニットの数は、Ｐ−１である。
（５）各コイルは、そのコイルピッチが１つの極ピッチにほぼ等しく、極ピッチは、ｍ／２Ｐとして表現される。
【００３６】
図７は、本発明の更に別の実施形態による別の巻線テーブルである。このモータは、６個の極（２Ｐ＝６）をもつ固定子、２個のブラシ、２７個の歯（ｎ＝２７）の回転子コアをもつ回転子、及び５４個のセグメント（ｍ＝５４）の整流子を備えている。簡単化のために、５４個のセグメントは、各々、セグメントＺ1からＺ54と命名される。図７に示す巻線構成も、図６に示す巻線構成と同様の特徴を有する。
【００３７】
本発明による巻線構成は、ユニバーサルモータ又は永久磁石直流（ＰＭＤＣ）モータにおいて実施することができる、そしてモータは、食品調理機、電動ジューサ、送風機、研磨機、クリーナー、等に使用されるのが好ましい。
【００３８】
本発明の説明及び特許請求の範囲において、動詞「備える(comprise)」、「含む(include)」、「収容する(contain)」及び「有する(have)」並びにその変化は、各々、ここに述べたアイテムの存在を特定するために包括的な意味で使用され、付加的なアイテムの存在を除外するものではない。
【００３９】
本発明は、１つ以上の好ましい実施形態を参照して説明したが、当業者であれば、種々の変更がなされ得ることが明らかであろう。それ故、本発明の範囲は、特許請求の範囲によって決定されるものとする。
【符号の説明】
【００４０】
１０１：固定子コア
１０２〜１０５：突極
１０８、１０９：ブラシ
１２１：回転子シャフト
１２２：整流子
Ｚ1〜Ｚ36：整流子のセグメント
Ｓ1〜Ｓ18：巻線スロット
【図１】
2011024417.tif 000003
【図２】
2011024417.tif 000004
【図３】
2011024417.tif 000005
【図４】
2011024417.tif 000006
【図５】
2011024417.tif 000007
【図６】
2011024417.tif 000008
【図７】
2011024417.tif 000009
【外国語明細書】
2011024417.tif 000010
2011024417.tif 000011
2011024417.tif 000012
2011024417.tif 000013
2011024417.tif 000014
2011024417.tif 000015
2011024417.tif 000016
2011024417.tif 000017
2011024417.tif 000018
2011024417.tif 000019
2011024417.tif 000020
2011024417.tif 000021
2011024417.tif 000022
2011024417.tif 000023
2011024417.tif 000024
2011024417.tif 000025
2011024417.tif 000026